(57)【要約】【課題】グースネック型マイクロホンにおいて、グースネックパイプに含まれているフレキシブルパイプの屈曲による摩滅を少なくする。【解決手段】屈曲自在なフレキシブルパイプ２１を含むグースネックパイプ２０を備え、フレキシブルパイプ２１の上端にマイクロホンユニット３０が取り付けられ、フレキシブルパイプ２１の下端２１ａがスタンド部１０に支持されているグースネック型マイクロホンにおいて、スタンド部１０に、机などの載置面とほぼ平行に配置される回転軸１１０と、回転軸１１０に同軸として一体的に設けられる回転従動体１３０と、回転従動体１３０に所定の制動力をかける制動手段１４０とを備え、回転軸１１０に、フレキシブルパイプ２１に対する連結部１２０を設け、フレキシブルパイプ２１の下端２１ａを連結部１２０に連結し、好ましくはフレキシブルパイプ２１の屈曲に先立って回転軸１１０が回転するようにする。【選択図】図１
2008294602.tif 000002
【特許請求の範囲】
【請求項１】
マイクロホンユニットと、所定の載置面上に置かれるスタンド部と、屈曲自在なフレキシブルパイプを含むグースネックパイプとを備え、上記グースネックパイプの上端に上記マイクロホンユニットが取り付けられ、上記グースネックパイプの下端が上記スタンド部に支持されているグースネック型マイクロホンにおいて、
上記スタンド部は、上記載置面とほぼ平行に配置された回転軸と、上記回転軸に同軸として一体的に設けられた回転従動体と、上記回転従動体に所定の制動力をかける制動手段とを備え、上記回転軸には、上記グースネックパイプに対する連結部が上記回転軸の軸線と直交する方向に設けられており、上記グースネックパイプの下端が上記連結部に連結されていることを特徴とするグースネック型マイクロホン。
【請求項２】
上記回転従動体は歯車であり、上記制動手段は上記歯車に係合する球体、上記球体を上記歯車に向けて付勢するバネおよび上記バネの付勢力を可変とするバネ力調整部材を含むボールプランジャーであることを特徴とする請求項１に記載のグースネック型マイクロホン。
【請求項３】
上記回転従動体は円盤体であり、上記制動手段は上記円盤体の円周面に接するブレーキシュー、上記ブレーキシューを上記円盤体に向けて付勢するバネおよび上記バネの付勢力を可変とするバネ力調整部材を含む摺動摩擦発生機構からなることを特徴とする請求項１に記載のグースネック型マイクロホン。
【請求項４】
上記回転従動体に対する上記制動手段の制動力は、上記フレキシブルパイプの耐屈曲力よりも弱く設定されることを特徴とする請求項１ないし３のいずれか１項に記載のグースネック型マイクロホン。
【発明の詳細な説明】
【技術分野】
【０００１】
本発明は、マイクロホンユニットを屈曲可能なグースネックパイプを介してスタンドに支持してなるグースネック型マイクロホンに関し、さらに詳しく言えば、グースネックパイプに含まれているフレキシブルパイプの屈曲による摩滅を少なくしてフレキシブルパイプを長期にわたって使用可能とする技術に関するものである。
【背景技術】
【０００２】
グースネック型マイクロホンは、スタンドに立設されたグースネックパイプの先端に小口径のマイクロホンユニットを支持してなるスタンドマイクロホンの一種で、いわゆる細身で余り存在が目立たないことから、特に会議用マイクロホンとして多用されている（例えば、特許文献１参照）。
【０００３】
先端のマイクロホンユニットを話者の口元に近づけることができるように、グースネックパイプには屈曲自在なフレキシブルパイプが用いられている。なお、グースネックパイプには、その全部がフレキシブルパイプであるものと、フレキシブルパイプと伸縮可能な入れ子式金属パイプとを組み合わせたものとがある。
【０００４】
フレキシブルパイプは、断面が円形の鋼線をコイルバネ状に巻き、そのコイルバネの間に断面が三角形状の鋼線を押し込んで作成される（例えば、特許文献２参照）。
【０００５】
フレキシブルパイプが屈曲自在でありながら、屈曲された状態を維持できる自己保形性を有しているのは、断面が円形のコイルバネと、断面が三角形状の鋼線との摩擦力に依存している。
【０００６】
しかしながら、屈曲時の摩滅により切り子が発生し、それが多数回繰り返されると次第に摩擦力が低減し、最悪の場合、自己保形性が消失してしまうことになる。
【０００７】
話者はマイクロホンユニットを口元に近づけようとする際、通常、フレキシブルパイプを折り曲げずに直接マイクロホンユニットを手前側に引き寄せようとするため、上記の不具合は、特にフレキシブルパイプのスタンドに対する付け根側で多く発生する。
【０００８】
なお、会議の席上などにおいて、グースネック型マイクロホンは、通常、話者１人に１台が割り当てられるため、フレキシブルパイプは横方向には余り折り曲げられず、主に前後方向に折り曲げられる。したがって、フレキシブルパイプの摩滅には方向性がある。
【０００９】
また、フレキシブルパイプの長さも関係する。すなわち、フレキシブルパイプが短いほど、中間部分よりも先にフレキシブルパイプの付け根側が屈曲するからである。よって、フレキシブルパイプの長さを長くすれば、付け根側の屈曲が小さく抑えられるが、フレキシブルパイプを長くすると、クネクネとした感じになり、見栄え上好ましくない。
【００１０】
【特許文献１】特開平９−２２９２９２号公報
【特許文献２】特開２００６−２２９７２７号公報
【発明の開示】
【発明が解決しようとする課題】
【００１１】
したがって、本発明の課題は、グースネック型マイクロホンにおいて、グースネックパイプに含まれているフレキシブルパイプの屈曲による摩滅を少なくして、グースネックパイプを長期にわたって使用可能とすることにある。
【課題を解決するための手段】
【００１２】
上記課題を解決するため、本発明は、請求項１に記載されているように、マイクロホンユニットと、所定の載置面上に置かれるスタンド部と、屈曲自在なフレキシブルパイプを含むグースネックパイプとを備え、上記グースネックパイプの上端に上記マイクロホンユニットが取り付けられ、上記グースネックパイプの下端が上記スタンド部に支持されているグースネック型マイクロホンにおいて、上記スタンド部は、上記載置面とほぼ平行に配置された回転軸と、上記回転軸に同軸として一体的に設けられた回転従動体と、上記回転従動体に所定の制動力をかける制動手段とを備え、上記回転軸には、上記グースネックパイプに対する連結部が上記回転軸の軸線と直交する方向に設けられており、上記グースネックパイプの下端が上記連結部に連結されていることを特徴としている。
【００１３】
本発明において、請求項２に記載されているように、上記回転従動体は歯車であり、上記制動手段は上記歯車に係合する球体、上記球体を上記歯車に向けて付勢するバネおよび上記バネの付勢力を可変とするバネ力調整部材を含むボールプランジャーが好ましく採用される。
【００１４】
また、上記ボールプランジャーに代えて、請求項３に記載されているように、上記回転従動体は円盤体であり、上記制動手段は上記円盤体の円周面に接するブレーキシュー、上記ブレーキシューを上記円盤体に向けて付勢するバネおよび上記バネの付勢力を可変とするバネ力調整部材を含む摺動摩擦発生機構が用いられてもよい。
【００１５】
また、請求項４に記載されているように、上記回転従動体に対する上記制動手段の制動力は、上記フレキシブルパイプの耐屈曲力よりも弱く設定されることが好ましい。
【発明の効果】
【００１６】
本発明によれば、屈曲自在なフレキシブルパイプを含むグースネックパイプの下端（付け根側）が、回転従動体を介して制動手段により所定の移動力がかけられる回転軸に連結されていることにより、フレキシブルパイプに加えられる曲げ応力の一部もしくは全部が回転軸の回転動に変換され、フレキシブルパイプが小曲率で急激に折り曲げられることがないため、フレキシブルパイプの屈曲による摩滅を大幅に低減することができる。
【００１７】
また、制動手段として、バネ力調整部材を含むボールプランジャーもしくは摺動摩擦発生機構を用いることにより、回転従動体に対する制動力を容易に調整することができる。
【００１８】
また、回転従動体に対する制動手段の制動力をフレキシブルパイプの耐屈曲力よりも弱く設定することにより、フレキシブルパイプの屈曲に先立って回転軸が回転するため、特にフレキシブルパイプの付け根側の屈曲による摩滅を少なくすることができる。
【発明を実施するための最良の形態】
【００１９】
次に、図１ないし図４により、本発明の実施形態について説明する。図１は本発明の実施形態に係るグースネック型マイクロホンを示す模式的な平面図、図２は上記グースネック型マイクロホンの要部のみを断面で示す側面図、図３は本発明が備える制動手段を示す模式的な側面図、図４は制動手段の別の例を示す図３と同様の模式的な側面図である。
【００２０】
図１および図２に示すように、本発明のグースネック型マイクロホンは、基本的な構成として、スタンド部１０と、下端がスタンド部１０に支持されるグースネックパイプ２０と、グースネックパイプ２０の上端に取り付けられるマイクロホンユニット３０とを備えている。
【００２１】
スタンド部１０は、図示しない机などの載置面上に置かれる金属製の支持台で、グースネックパイプ２０およびマイクロホンユニット３０を容易に倒れないように支持し得る設置面積と重量とを備えている。
【００２２】
この実施形態において、グースネックパイプ２０は、その全体がフレキシブルパイプ２１よりなるが、例えばその中間部分に入れ子式の金属パイプからなる伸縮パイプが介装されてもよい。
【００２３】
なお、フレキシブルパイプ２１は、従来と同様に、断面が円形の鋼線をコイルバネ状に巻き、そのコイルバネの間に断面が三角形状の鋼線を押し込んで作成されたものでよい。
【００２４】
この実施形態において、マイクロホンユニット３０には、単一指向性マイクロホンカプセル３２に長尺の音響管３３を取り付けたいゆわるガンマイクと呼ばれている狭指向性マイクロホンユニット３１が用いられているが、タイピンマイクなどと同様の小口径マイクロホンユニットが用いられてもよい。
【００２５】
ところで、話者（マイクロホン使用者）がマイクロホンユニット３０を口元に近づけようとする際、多くの場合、フレキシブルパイプ２１を折り曲げずに直接マイクロホンユニット３０を手前側に引き寄せようとする。
【００２６】
また、例えば発言終了後、マイクロホンユニット３０を口元から遠ざけようとする場合も、同様にフレキシブルパイプ２１を折り曲げずに直接マイクロホンユニット３０を後方に押し戻そうとする。
【００２７】
この操作に伴って、特にフレキシブルパイプ２１のスタンド部１０に対する付け根側が頻繁に折り曲げられ、金属間摩擦により摩滅が発生する。この摩滅は、小さな曲率で急激に折り曲げられるほど大きく発生する。
【００２８】
本発明では、このようなフレキシブルパイプ２１の摩滅を少なくするため、スタンド部１０に、上記載置面とほぼ平行に配置される回転軸１１０と、回転軸１１０に同軸として一体的に設けられる回転従動体１３０と、回転従動体１３０に所定の制動力をかける制動手段１４０とを備える。
【００２９】
図１において、スタンド部１０の図示しない話者側に向けられる左側を前方、その反対の右側を後方として、スタンド部１０には、その後方のほぼ中央から前方に向けて対向辺が平行である溝１０ａが形成されており、回転軸１１０は、溝１０ａ内で溝１０ａを横切るようにしてスタンド部１０に回転可能に支持されている。
【００３０】
回転軸１１０には、フレキシブルパイプ２１を連結する連結部１２０が一体的に取り付けられている。連結部１２０は、回転軸１１０の軸線と直交する方向に向けられた口金１２１を有し、この口金１２１内にフレキシブルパイプ２１の下端（付け根側）２１ａが嵌合され、かしめもしくは蝋付けなどにより一体的に固定される。
【００３１】
回転従動体１３０は、回転軸１１０の一端側に同軸として一体的に設けられている。この場合、スタンド部１０には、溝１０ａと直交する軸受け孔１０ｂが形成されており、この軸受け孔１０ｂ内に回転従動体１３０が回転可能に収納される。
【００３２】
この実施形態によれば、回転軸１１０の一端側は回転従動体１３０を介して軸受け孔１０ｂに軸支され、回転軸１１０の他端側は溝１０ａ内に形成されている図示しない軸受け孔に直接的に軸支される。
【００３３】
回転従動体１３０に対する制動手段１４０は、軸受け孔１０ｂに対して直交するようにしてスタンド部１０に形成されている雌ねじ孔１０ｃ内に配置されている。
【００３４】
図３を併せて参照して、この実施形態において、回転従動体１３０には歯車１３１が用いられ、制動手段１４０には歯車１３１に対して所定のクリック力をもって係合するボールプランジャー１４１が用いられている。
【００３５】
ボールプランジャー１４１は、歯車１３１に係合する球体１４２と、球体１４２を歯車１３１に向けて付勢する圧縮コイルバネ１４３と、圧縮コイルバネ１４３の背後に配置され雌ねじ孔１０ｃ内に螺合するバネ力調整部材としての雄ねじ１４４とを備えている。
【００３６】
この構成によれば、例えば話者が発言時にマイクロホンユニット３０に手をかけて口元に近づけようとする場合、フレキシブルパイプ２１に加えられる曲げ応力の一部もしくは全部が回転軸１１０の回転動に変換される。
【００３７】
これにより、フレキシブルパイプ２１の特に下端（付け根側）２１ａが小曲率で急激に折り曲げられることがなく、フレキシブルパイプ２１の屈曲による摩滅を大幅に低減することができる。
【００３８】
球体１４２の歯車１３１に対するクリック力は、圧縮コイルバネ１４３に対する雄ねじ１４４の締め付け具合により調整することができるが、歯車１３１に対する球体１４２のクリック力（制動力）をフレキシブルパイプ２１の耐屈曲力よりも弱く設定することが好ましい。
【００３９】
これによれば、フレキシブルパイプ２１の屈曲に先立って回転軸１０が回転するため、特にフレキシブルパイプ２１の付け根側２１ａが局部的に屈曲されることがなく、フレキシブルパイプ２１を長期にわたって使用することができる。なお、話者がマイクロホンユニット３０を引き寄せたうえで、さらに高さ調整を要する場合には、フレキシブルパイプ２１の中間部分を緩やかに折り曲げるであろう。
【００４０】
次に、図４により制動手段１４０の別の例について説明する。この場合には、回転従動体１３０として円盤体１３２が用いられ、これに対する制動手段１４０として摺動摩擦発生機構１４５が用いられる。
【００４１】
摺動摩擦発生機構１４５は、円盤体１３２の円周面に接するブレーキシュー１４６と、ブレーキシュー１４６を円盤体１３２に向けて付勢する圧縮コイルバネ１４７と、圧縮コイルバネ１４７の背後に配置され雌ねじ孔１０ｃ内に螺合するバネ力調整部材としての雄ねじ１４８とを備えている。圧縮コイルバネ１４７，雄ねじ１４８は、上記ボールプランジャー１４１の圧縮コイルバネ１４３，雄ねじ１４４と同じであってよい。
【００４２】
この摺動摩擦発生機構１４５によれば、円盤体１３２とブレーキシュー１４６との間で発生する摺動摩擦により回転軸１１０に制動がかけられるため、上記ボールプランジャー１４１の場合と比べて回転軸１１０がスムースに回転することになる。
【００４３】
摺動摩擦発生機構１４５における摺動摩擦力も、圧縮コイルバネ１４７に対する雄ねじ１４８の締め付け具合により調整することができるが、上記ボールプランジャー１４１の場合と同様に、その摺動摩擦力をフレキシブルパイプ２１の耐屈曲力よりも弱く設定することが好ましい。
【図面の簡単な説明】
【００４４】
【図１】本発明の実施形態に係るグースネック型マイクロホンを示す模式的な平面図。
【図２】上記グースネック型マイクロホンの要部のみを断面で示す側面図。
【図３】本発明が備える制動手段を示す模式的な側面図。
【図４】制動手段の別の例を示す図３と同様の模式的な側面図。
【符号の説明】
【００４５】
１０  スタンド部
１０ａ  溝
１０ｂ  軸受け孔
１０ｃ  雌ねじ孔
１１０  回転軸
１２０  連結部
１２１  口金
１３０  回転従動体
１３１  歯車
１３２  円盤体
１４０  制動手段
１４１  ボールプランジャー
１４２，１４７  圧縮コイルバネ
１４６，１４８  雄ねじ
１４５  摺動摩擦発生機構
１４６  ブレーキシュー
２０  グースネックパイプ
２１  フレキシブルパイプ
２１ａ  下端（付け根側）
３０  マイクロホンユニット
【図１】
2008294602.tif 000003
【図２】
2008294602.tif 000004
【図３】
2008294602.tif 000005
【図４】
2008294602.tif 000006